(57)【要約】【課題】組立ライン上で機構板が衝撃を受けても、しっかりと保持され組立ラインから落下することがなく、作業の中断といった支障もない弾球遊技機を提供する。【解決手段】前面枠２の裏面に遊技盤取付枠４を設けると共にその一側に分離可能な軸着部により機構板７を開閉自在に設け、前記遊技盤取付枠４には、その上辺部４ａおよび側辺部４ｂに前記機構板７をその裏側から圧接して固定する機構板固定具１９を設けてなる弾球遊技機Ｐであって、前記各機構板固定具１９は、後方へ突出する軸ピン２３と係止部材２１とからなり、前記機構板７には、前記各機構板固定具１９に対応位置して、前記機構板７が前記遊技盤５の裏面に重合したとき前記各軸ピン２３が嵌入しかつ方向の異なる開口部３４を設けてなる。【選択図】　図２
2004121673.tif 000002
【特許請求の範囲】
【請求項１】
前面枠の裏面に遊技盤が嵌入固定される方形状の遊技盤取付枠を設けると共にその一側に分離可能な軸着部により前記遊技盤の裏面を覆う機構板を開閉自在に設け、前記遊技盤取付枠には、その上辺部および側辺部に前記遊技盤の裏面に重合した前記機構板をその裏側から圧接して固定する機構板固定具を設けてなる弾球遊技機であって、
前記各機構板固定具は、前記遊技盤取付枠の後面から後方へ突出する軸ピンと、前記軸ピンに取着され、前記遊技盤の裏面に重合した前記機構板の裏側に回動位置して該機構板を圧接する係止部材と、からなり、前記機構板には、前記各機構板固定具に対応位置して、前記機構板が前記遊技盤の裏面に重合したとき前記軸ピンが嵌入する開口部を設け、前記各開口部は、その幅が前記軸ピンの外径寸法とほぼ同じに設定され、かつ、前記遊技盤取付枠の上辺部側と側辺部側とではそれぞれ向きが異なるように成形されていることを特徴とする弾球遊技機。
【発明の詳細な説明】
【０００１】
【発明の属する技術分野】
本発明は、前面枠の裏面に設けられる遊技盤取付枠に遊技盤を嵌入すると共にその裏面に開閉自在な機構板を重合し、前記機構板を機構板固定具により圧接固定するようにした弾球遊技機に関するものである。
【０００２】
【従来の技術】
従来の弾球遊技機の一つであるパチンコ遊技機は、前面枠の裏面に遊技盤を嵌入固定する方形状の遊技盤取付枠が設けられると共にその一側に前記遊技盤の裏面を覆う機構板が開閉自在に軸着されている。また、遊技盤取付枠には、前記遊技盤の裏面に重合した機構板をその裏側から圧接して固定する複数の機構板固定具が設けられている。前記軸着部は、遊技盤取付枠に設けられ上向きの支軸を突設した上下一対のヒンジ部材と、前記各ヒンジ部材に対応位置して機構板側に設けられ、前記各支軸が同じ方向から挿通される軸孔とからなる（例えば、特許文献１参照。）。
【０００３】
また、前記機構板固定具は、前記遊技盤取付枠の上辺部または前記軸着部と対向位置する側辺部であって、その後面から後方へ突出しかつ機構板の外周縁よりも外側に位置する軸ピンと、前記軸ピンの頭部に設けられ摘み機能を備える係止部材とからなり、前記遊技盤の裏面に機構板を重合させた状態で、前記係止部材を機構板の裏面に回動位置させて該係止部材により機構板を圧接固定するようにしている（例えば、特許文献１参照。）。
【０００４】
【特許文献１】
特開平８−２４３２３１号公報（第４頁、図４、図７、図１０）
【０００５】
【発明が解決しようとする課題】
ところで、パチンコ遊技機の組立ライン上で、例えば、機構板に配線基板を組み付けたり電気コードを配線するなどの作業をするには、パチンコ遊技機をほぼ水平にセットすると共に機構板を遊技盤取付枠内の遊技盤に重合配置した状態で行なわれる。この際、各支軸は各軸孔に挿通されるのみで軸着部が分離可能な状態にある。そして、前記機構板が各機構板固定具により固定されてないときは、機構板固定具の軸ピンが機構板の外周縁から外側に位置して機構板が縦または横方向に少しずれるだけの余裕がある。換言すれば、前記各支軸が各軸孔から抜け易くなっている。よって、仮に、機構板に上下方向から強い衝撃（例えば、軸孔から支軸が抜けるような外力）が加わった場合、その衝撃で各軸孔から各支軸が抜け、機構板が外れて床に落下してしまい破損するといった課題がある。また、このために作業を中断せねばならないばかりか、作業能率も勢い低下するといった課題が有る。
【０００６】
そこで、本発明は上記課題を解決すべくなされたもので、組立ライン上で機構板が衝撃を受けても、しっかりと保持されて組立ラインから床に落下するようなことがなく、しかも、作業を中断するといった支障をきたさない弾球遊技機を提供することを目的とするものである。
【０００７】
【課題を解決するための手段】
かかる目的を達成するため、本発明に係る弾球遊技機は、前面枠の裏面に遊技盤が嵌入固定される方形状の遊技盤取付枠を設けると共にその一側に分離可能な軸着部により前記遊技盤の裏面を覆う機構板を開閉自在に設け、前記遊技盤取付枠には、その上辺部および側辺部に前記遊技盤の裏面に重合した前記機構板をその裏側から圧接して固定する機構板固定具を設けてなる弾球遊技機であって、前記各機構板固定具は、前記遊技盤取付枠の後面から後方へ突出する軸ピンと、前記軸ピンに取着され、前記遊技盤の裏面に重合した前記機構板の裏側に回動位置して該機構板を圧接する係止部材と、からなり、前記機構板には、前記各機構板固定具に対応位置して、前記機構板が前記遊技盤の裏面に重合したとき前記軸ピンが嵌入する開口部を設け、前記各開口部は、その幅が前記軸ピンの外径寸法とほぼ同じに設定され、かつ、前記遊技盤取付枠の上辺部側と側辺部側とではそれぞれ向きが異なるように成形されている。
【０００８】
前記開口部は、例えば、機構板の外周縁で開口し表裏方向で貫通する溝、または同じく表裏方向で貫通する長穴であっても良い。これら溝または長穴は、いずれも遊技盤取付枠の上辺部側にあっては側辺部と平行な縦方向に成形し、側辺部側にあっては上辺部と平行な横方向に成形することが好ましい。また、向きが異なれば、前記遊技盤取付枠の上辺部側と側辺部側との開口部の向きをそれぞれ上辺部または側辺部に対し斜めに設けるようにしても良い。
【０００９】
このように、遊技盤取付枠の上辺部および側辺部にそれぞれ軸ピンを設け、機構板には、この機構板が前記遊技盤の裏面に重合したとき前記軸ピンが嵌入しかつ前記遊技盤取付枠の上辺部側と側辺部側とではそれぞれ向きが異なるように成形した開口部を設けるようにしているので、仮に、組立ライン上で機構板が衝撃を受けても、いずれかの軸ピンが機構板の動きを押えることとなって機構板の縦方向または横方向への動きが抑制される。よって、各支軸が各軸孔から抜けてしまうようなことがなくなり、これによって機構板が外れて床面に落下するといった事態が防止される。
【００１０】
【発明の実施の形態】
以下、本発明に係る弾球遊技機の実施の形態を図面に基づき説明する。なお、弾球遊技機には、例えばパチンコ遊技機、アレンジボールまたは雀球遊技機があるが、本発明にあっては、一例としてパチンコ遊技機について説明する。図１は本発明が適用されるパチンコ遊技機の裏面図。図２は機構板を外した前面枠の裏面斜視図である。
【００１１】
図において、１はパチンコ遊技機Ｐの機枠であって縦長方形枠状に成形されており、該機枠１に前面枠２が装着される。前面枠２には、そのほぼ中央に窓開口３が開設され、前面枠２の裏面に前記窓開口３を囲うようにして方形状の遊技盤取付枠４が設けられる。この遊技盤取付枠４は、上部に位置する上辺部４ａと左右に位置する側辺部４ｂ，４ｃと下部に位置する腰板部４ｄとからなる。そして、図２鎖線に示すように裏側から腰板部４ｄの上面に乗るようにして前記遊技盤取付枠４内に遊技盤５が嵌入される。遊技盤５の裏面には、入賞球としてその裏面に導かれたパチンコ球を寄せ集めパチンコ遊技機Ｐ外に排出するための入賞球集合カバー６が取付けられている。
【００１２】
前記遊技盤取付枠４の一側、すなわち図２では右側の側辺部４ｃに、前記遊技盤５の裏面を覆う合成樹脂製の機構板７が開閉自在に軸着される。前記軸着部８は上下一対設けられ、しかも、各軸着部８は分離可能に設けられている。すなわち、各軸着部８は、側辺部４ｃに水平に突設され軸孔９を開設した固定板１０と、機構板７に前記固定板１０と対応位置して突設され、前記軸孔９に上から落とし込むように挿通して保持される支軸１１を垂下した可動板１２と、からなり、軸孔９から支軸１１が抜け易くなっている。なお、前記固定板１０と可動板１２は、遊技盤取付枠４と機構板７との間で取付位置が逆であっても良い。
【００１３】
前記機構板７には、その中央部に前記入賞球集合カバー６が臨む開口１３が開設されており、裏面の上部にパチンコ球を貯留する球タンク１４が配置されている。また、球タンク１４の下方に、該球タンク１４から排出されるパチンコ球を一側に設けられたパチンコ球払出装置１６に供給するタンクレール１５が配設されている。前記パチンコ球払出装置１６の下方には、該パチンコ球払出装置１６から払い出されたパチンコ球を前側の打球供給皿（図示せず。）に排出するパチンコ球払出樋１７が設けられる。更に、その下方に、そこからオーバーフローしたパチンコ球を前側の余剰球貯留皿（図示せず。）に排出するパチンコ球排出樋１８が設けられている。
【００１４】
前記遊技盤取付枠４の上辺部４ａの一箇所および前記軸着部８と対向位置する左側の側辺部４ｂの上下二箇所に、それぞれ前記遊技盤５の裏面に重合した機構板７をその裏側から圧接して固定する機構板固定具１９が設けられている。各機構板固定具１９は、図３に示すように遊技盤取付枠４の後端面に固着される支軸部材２０と、該支軸部材２０に回動自在に装着され機構板７の裏面に圧接する係止部材２１と、からなる。
【００１５】
前記支軸部材２０は、縦長の取付板２２の前面に軸ピン２３を突設して成形され、その後端面に軸孔２３ａが開設されている。そして、前記取付板２２の両端部に設けられた螺子挿通孔２４と遊技盤取付枠４の後端面に設けられた螺子孔２５を合致させ、各螺子挿通孔２４を介して各螺子孔２５に螺子２６を螺合させることにより、支持部材２０が遊技盤取付枠４の後端面に固着される。この際、前記軸ピン２３は遊技盤取付枠４の後端面に対しほぼ直角に突設されることになる。
【００１６】
係止部材２１は、縦長の基板２７の一側上面に指で操作し得るようにするための指掛け部２８が突設され、他側下面に前記軸ピン２３に嵌着される空洞状の嵌着筒部２９を突設して成形されている。また、基板２７の前記他側に、嵌着筒部２９の中心軸と同一軸心上に嵌着筒部２９の内部と連通する螺子挿通孔３０が貫設されている。基板２７の前記一側下面には、図５に示すように球面状に突出する突部３１が設けられる。これは、後記する凹窪３５に嵌合して係止部材２１の回動位置をしっかりと保持するためのものである。そして、前記軸ピン２３に嵌着筒部２９を嵌着し、螺子挿通孔３０を介して軸ピン２３の後端面に設けられた螺子孔２３ａに螺子３２を螺締することにより、係止部材２１が軸ピン２３を中心として遊技盤取付枠４の後端面と平行な面内で回動自在に軸着される。
【００１７】
一方、図４に示すように機構板７の外周縁には、前記機構板固定具１９と対応位置して外周縁から機構板７面に沿って外方へ突出する突片部３３が一体に設けられている。そして、各突片部３３に、前記機構板７が前記遊技盤５の裏面に重合したとき前記軸ピン２３が嵌入できかつ該機構板７の開閉動作に伴い前記係止部材２１が通過し得る開口部としての溝３４が設けられている。各溝３４は、遊技盤取付枠４の上辺部４ａ側にあっては縦方向に、また、側辺部４ｂ側にあっては横方向に成形され、いずれも突片部３３の外周縁部で開放している。
【００１８】
すなわち、前記上辺部４ａ側の機構板固定具１９をほぼ鉛直方向、側辺部４ｂ側の各機構板固定具１９をほぼ水平方向に回動位置させた状態で、各機構板固定具１９が各溝３４内を通過でき、機構板７が支障なく開閉動作できるようになっている。このため、各溝３４の幅は、前記軸ピン２３の外径寸法とほぼ同じ、正確には軸ピン２３に嵌着される嵌着筒部２９の外径寸法とほぼ同じ寸法に設定してある。３５は機構板７における突片部３３の所定位置に設けられ前記突部３１が嵌り込む凹窪である。なお、図示は省略するが、開口部は長穴であっても良い。
【００１９】
また、前記遊技盤取付枠４における左側の側辺部４ｂの二箇所と右側の側辺部４ｃの一箇所に、それぞれ嵌入された遊技盤５を固定するための固定具３６が設けられている。これら固定具３６は、遊技盤取付枠４の後端面に軸杆３７により軸着され、遊技盤５の裏面に摺接するようにして自在に回動する。そして、遊技盤取付枠４の左・右側の側辺部４ｂ，４ｃから内側へ回動させて遊技盤５の裏面に固定具３６を圧接することにより、遊技盤５がしっかりと固定される。また、固定具３６を反対に左・右側の側辺部４ｂ，４ｃの外側へ回動させることにより、遊技盤５が支障なく取り外せることになる。
【００２０】
本発明に係るパチンコ遊技機Ｐは上記構成からなり、前面枠２の裏側から遊技盤取付枠４に遊技盤５を嵌入し、各固定具３６を内側へ回動させて圧接固定する。また、前面枠２裏側の一側に設けられた上下の各軸孔９に上側から各支軸１１を挿通する。これにより、機構板７が前記各軸着部８を中心として開閉自在に軸着される。そして、機構板７を閉じるように回動して遊技盤５の裏側に重合させると共に各溝３４に各係止部材２１を通過させる。最後に、図４、図５に示すように機構板７の裏面から後側に位置する各係止部材２１を図４鎖線位置まで矢視方向へ回動させ、裏面の突部３１を凹窪３５に嵌入させる。これにより、機構板７が各機構板固定具１９によってしっかりと固定されることになる。また、機構板７を開ける場合は、前記各係止部材２１を前記方向とは逆方向へ回動させ、各係止部材２１が各溝３４に重なるようにした状態で開ける。
【００２１】
このように、本発明は、遊技盤取付枠４の上辺部４ａおよび側辺部４ｂにそれぞれ軸ピン２３を設け、機構板７には、遊技盤５の裏面に重合したとき前記軸ピン２３が嵌入しかつ前記遊技盤取付枠４の上辺部４ａ側と側辺部４ｂ側とではそれぞれ向きが異なるように成形される開口部３４を設けるようにしている。よって、パチンコ遊技機Ｐの組立ライン上で、例えば、ほぼ水平にセットされるパチンコ遊技機Ｐの機構板７が、遊技盤５の上面を覆うようにして配置された状態で衝撃を受けたとしても、いずれかの軸ピン２３が溝３４の内面に当たって機構板７の動きを押えることになり、機構板７の縦方向または横方向への動きが抑制される。よって、各支軸１１が各軸孔９から抜けてしまうようなことがなくなる。
【００２２】
【発明の効果】
本発明に係る弾球遊技機は上記構成よりなり、遊技盤取付枠の上辺部および側辺部に機構板を圧接する係止部材を取着した軸ピンを設け、機構板には、前記機構板が前記遊技盤の裏面に重合したとき前記軸ピンが嵌入ししかも前記遊技盤取付枠の上辺部側と側辺部側とではそれぞれ向きが異なるように成形される開口部を設けるようにしたので、組立ライン上で機構板が衝撃を受けても、いずれかの軸ピンが機構板の動きを押えることとなって機構板の縦方向または横方向への動きが抑制される。よって、各支軸が各軸孔から抜けてしまうようなことがなくなり、これによって機構板が外れて床面に落下するといった事態も防止される。また、パチンコ遊技機の組立作業も支障なく能率的に行なえるという効果がある。
【図面の簡単な説明】
【図１】本発明が適用されるパチンコ遊技機の裏面図。
【図２】機構板を外した前面枠の裏面斜視図。
【図３】機構板固定具部分の分解斜視図。
【図４】パチンコ遊技機の要部を示す裏面図。
【図５】図４のＸ−Ｘ線断面図。
【符号の説明】
２　　　　　　　　　　前面枠
４　　　　　　　　　　遊技盤取付枠
５　　　　　　　　　　遊技盤
７　　　　　　　　　　機構板
８　　　　　　　　　　軸着部
９　　　　　　　　　　軸孔
１１　　　　　　　　　支軸
１９　　　　　　　　　機構板固定具
２１　　　　　　　　　係止部材
２３　　　　　　　　　軸ピン
３４　　　　　　　　　開口部（溝）
Ｐ　　　　　　　　　　弾球遊技機（パチンコ遊技機）
【図１】
2004121673.tif 000003
【図２】
2004121673.tif 000004
【図３】
2004121673.tif 000005
【図４】
2004121673.tif 000006
【図５】
2004121673.tif 000007